(57)【要約】【課題】浴室内に幻想的な雰囲気を創り出すことができる浴室構造を提供する。【解決手段】浴室構造は、浴室壁１を構成する導光板１０と、導光板１０に光を照射する光照射部２を備える。導光板１０は、浴槽４が有するフランジ４２に隣接して設置される。光照射部２は、フランジ４２の上面４２２よりも下方の位置から、導光板１０に向けて光を出射する。この光が入射した導光板１０の下部は、フランジ４２との境界７２から上方に拡がるように幻想的に発光する。【選択図】図１
2017155428.tif 000002
【特許請求の範囲】
【請求項１】
浴室壁を構成する導光板と、
前記導光板に光を照射する光照射部を備え、
前記導光板は、前記浴槽が有するフランジに隣接して設置され、
前記光照射部は、前記フランジの上面よりも下方の位置から、前記導光板に向けて前記光を出射するよう構成されている
ことを特徴とする浴室構造。
【請求項２】
前記光照射部は、前記導光板の下方に設置され、前記導光板の下端面に向けて光を照射するように構成されている
ことを特徴とする請求項１に記載の浴室構造。
【請求項３】
前記導光板と前記光照射部を下方から支持する延長部材をさらに備え、
前記延長部材は、浴室の床パンに支持される
ことを特徴とする請求項１または２に記載の浴室構造。
【請求項４】
前記光照射部が設置される設置スペースは、前記フランジの下方に設けられるスペースであり、
前記光照射部は、前記設置スペースに設置された状態で、前記導光板の側面に向けて光を照射するように構成されている
ことを特徴とする請求項１に記載の浴室構造。
【発明の詳細な説明】
【技術分野】
【０００１】
本発明は、浴室構造に関し、詳しくは、浴室壁を光らせるための構造に関する。
【背景技術】
【０００２】
特許文献１には、ユニットバスルーム用の壁パネルが記載されている。
【０００３】
この壁パネルは、ハニカム状で透光性の中間部材と、中間部材の上方に形成された照明収納部と、照明収納部に設けられた照明装置を備える。
【先行技術文献】
【特許文献】
【０００４】
【特許文献１】特開２００４−１０８００５号公報
【発明の概要】
【発明が解決しようとする課題】
【０００５】
上記した従来の壁パネルは、洗い場に面して設置され、上方から入射した光によってパネル全体を発光させることで、浴室全体を明るく照らす構造である。
【０００６】
本発明は、より幻想的な雰囲気を浴室内に創り出すことができる浴室構造を提供することを、目的とする。
【課題を解決するための手段】
【０００７】
本発明に係る態様の浴室構造は、浴室壁を構成する導光板と、前記導光板に光を照射する光照射部を備える。
【０００８】
前記導光板は、前記浴槽が有するフランジに隣接して設置される。
【０００９】
前記光照射部は、前記フランジの上面よりも下方の位置から、前記導光板に向けて前記光を出射するよう構成されている。
【発明の効果】
【００１０】
本発明の浴室構造は、浴室内に幻想的な雰囲気を創り出すことができるという効果を奏する。
【図面の簡単な説明】
【００１１】
【図１】図１は、実施形態１の浴室構造の斜視図である。
【図２】図２は、同上の浴室構造の概略的な側断面図である。
【図３】図３は、同上の浴室構造が備えるフレームの斜視図である。
【図４】図４は、実施形態２の浴室構造の概略的な側断面図である。
【図５】図５は、実施形態３の浴室構造の概略的な側断面図である。
【発明を実施するための形態】
【００１２】
（実施形態１）
実施形態１の浴室構造について、図１〜図３に基づいて説明する。
【００１３】
図１や図２に示すように、本実施形態の浴室構造は、浴室壁１、光照射部２、床パン３、浴槽４、天井板５及び第二の光照射部６を備える。
【００１４】
まず、浴室壁１について説明する。
【００１５】
浴室壁１は、浴槽４に隣接するように設置された壁であり、浴室空間に面する部分（表面板）が透明または半透明の導光板１０で構成されている。導光板１０は、ガラスや樹脂で形成された板材である。導光板１０を、複数の部材を組み合わせて形成することも可能である。
【００１６】
浴室壁１は、導光板１０の裏面（浴室空間側と反対側の面）に重ねられる反射材１２と、反射材１２の裏面に重ねられる断熱材１４を、さらに備える。本実施形態の浴室壁１は、厚み方向において、導光板１０と断熱材１４の間に反射材１２が挟み込まれた構造である。
【００１７】
反射材１２は、光を反射するように形成された板状またはシート状の部材である。断熱材１４は、たとえば石膏ボードで形成された板材である。
【００１８】
浴室壁１は、フレーム１６と延長部材１８を、さらに備える。
【００１９】
フレーム１６は、図３に示すように、二枚の板状の縦材１６１，１６２と、左右一対の縦材１６１，１６２に連結される三枚の板状の横材１６５，１６６，１６７を備える。
【００２０】
三つの横材１６５，１６６，１６７は、上下方向に距離をあけて互いに平行に位置する。上端に位置する横材１６５と、下端に位置する横材１６７との間に、中間の横材１６６が位置する。
【００２１】
フレーム１６には、断熱材１４と光照射部２が支持される。光照射部２については後述する。
【００２２】
断熱材１４は、上端の横材１６５と、中間の横材１６６との間に、嵌め込まれて支持される。光照射部２は、下端の横材１６７と中間の横材１６６との間に、嵌め込まれて支持される。
【００２３】
延長部材１８は、浴室壁１の下部を構成する部材であり、導光板１０や光照射部２よりも下方に設置される。延長部材１８は、光照射部２を下方から支持する。延長部材１８は、光照射部２及びフレーム１６を介して、導光板１０や断熱材１４を下方から支持する。
【００２４】
延長部材１８は、床パン３によって支持される。つまり床パン３は、延長部材１８を介して、光照射部２や導光板１０を下方から支持する。床パン３についてはさらに後述する。
【００２５】
光照射部２について説明する。
【００２６】
光照射部２は、箱型のケース２２と、ケース２２に収納される本体装置２４を備える。本体装置２４は、ＬＥＤ等の光源を有する光源部２４１を備え、光源部２４１で生じた光を上方に照射するように構成されている。
【００２７】
ケース２２は、光を透過することのできる照射窓２２１を有する。照射窓２２１は、光源部２４１の上方に位置し、導光板１０が有する下端面１０２の下方に位置する。
【００２８】
光照射部２は、導光板１０の下端面１０２と接する位置にある。照射窓２２１を通じて上方に照射された光は、下端面１０２を通じて導光板１０の下部に入射される。
【００２９】
床パン３について説明する。
【００３０】
床パン３は、浴室の洗い場を構成する半部３２（図１参照）と、浴槽４が載置される半部３４を有する（図２参照）。半部３４には、延長部材１８の下端部が載置される支持体３４５が、一体に設けられる。延長部材１８の上端部は、光照射部２とフレーム１６に連結される。
【００３１】
浴槽４について説明する。
【００３２】
浴槽４は、湯水を溜めることができるように凹状に形成された浴槽本体４０と、浴槽本体４０の周縁から水平方向に延長されたフランジ４２を、一体に有する。浴槽本体４０は、底壁４０２と、底壁４０２の周縁から起立する側壁４０４を備える。
【００３３】
フランジ４２は、側壁４０４の上端縁から水平方向に延長される。フランジ４２は、導光板１０に対して水平方向に隣接して位置する。フランジ４２の先端縁からは、さらに垂下片４４が下方に延長される。
【００３４】
垂下片４４は、導光板１０の下端部に面して（当接して）位置する。この状態で、導光板１０の下端面１０２は、フランジ４２の上面４２２よりも所定距離Ｄ１（＝５０［ｍｍ］）だけ下方に位置する。そのため、導光板１０の下端面１０２は、フランジ４２に隠されて浴室内から視認困難な位置にある。
【００３５】
また、導光板１０の下端面１０２に当たって位置する光照射部２の上面は、フランジ４２の上面４２２よりも所定距離Ｄ１だけ下方に位置する。そのため、光照射部２は、フランジ４２に隠されて浴室内から視認困難な位置にある。
【００３６】
天井板５について説明する。
【００３７】
天井板５は、浴室の天井を構成する部材であり、浴室壁１の上端に支持される。天井板５は、導光板１０とフレーム１６の上端に支持される。
【００３８】
浴室内から視たとき、天井板５の下面である天井面５２と、導光板１０の表面と、浴槽４のフランジ４２の上面４２２は、境界７２，７４を介して一つながりに視認される。
【００３９】
第二の光照射部６について説明する。
【００４０】
第二の光照射部６は、光照射部２と同様の構成を備える。
【００４１】
つまり、第二の光照射部６は、箱型のケース６２と、ケース６２内に収納される本体装置６４を備える。本体装置６４は、複数のＬＥＤからなる光源部６４１を有し、光源部６４１で生じた光を下方に向けて照射するように構成されている。
【００４２】
ケース６２は、光を透過することのできる照射窓６２１を有する。照射窓６２１は、光源部６４１の下方に位置する。光源部６４１と照射窓６２１は、天井板５に設けた透過窓５４を挟んで、導光板１０が有する上端面１０４の上方にそれぞれ位置する。
【００４３】
照射窓６２１を通じて第二の光照射部６から下方に照射された光は、上端面１０４を通じて導光板１０の上部に入射される。
【００４４】
実施形態１の浴室構造においては、下側の光照射部２から光を照射することにより、浴室側から視認される浴室壁１（導光板１０）の下部が発光する。ここでの発光は、浴槽４のフランジ４２との境界７２から上方に光が拡がるような、幻想的な印象を与える発光である。
【００４５】
同様に、天井板５の裏側に設置される第二の光照射部６から光を照射すると、浴室側から視認される浴室壁１（導光板１０）の上部が発光する。ここでの発光は、天井面５２との境界７４から下方に光が拡がるような、幻想的な印象を与える発光である。
【００４６】
なお、所定距離Ｄ１は、実施形態１では５０［ｍｍ］であるが、これに限定されない。所定距離Ｄ１は、導光板１０の下端面１０２や光照射部２を浴室側から視認困難に設けることができ、かつ、浴室側から視認される浴室壁１（導光板１０）の下部が幻想的に発光し得る距離であればよい。所定距離Ｄ１は、たとえば３０〜１００［ｍｍ］の範囲内で設定することができる。
【００４７】
（実施形態２）
実施形態２の浴室構造について、図４に基づいて説明する。
【００４８】
なお、実施形態２の構成のうち、実施形態１と同様の構成については、同一符号を付して詳しい説明を省略する。以下においては、実施形態２の特徴的な構成について詳述する。
【００４９】
実施形態２の浴室構造は、実施形態１のように浴室壁１が床パン３に支持されるのではなく、浴槽４によって支持される。
【００５０】
実施形態２の浴室構造では、浴槽４の垂下片４４から、浴室壁１の下端部を受けるための支持片４６が、さらに延長される。
【００５１】
具体的には、浴室壁１のフレーム１６と光照射部２が、支持片４６によって下方から支持される。この状態で、浴槽４のフランジ４２の上面４２２が、導光板１０の下端面１０２よりも所定距離Ｄ１だけ上方に位置する。導光板１０の下端面１０２と光照射部２は、フランジ４２に隠されて浴室内から視認困難な位置関係にある。
【００５２】
実施形態２の浴室構造においても、光照射部２から光を照射することで、浴室内から視認される浴室壁１の下部が、フランジ４２との境界７２から光が拡がるように、幻想的に発光する。
【００５３】
（実施形態３）
実施形態３の浴室構造について、図５に基づいて説明する。
【００５４】
なお、実施形態３の構成のうち、実施形態１，２と同様の構成については、同一符号を付して詳しい説明を省略する。以下においては、実施形態３の特徴的な構成について詳述する。
【００５５】
実施形態３の浴室構造では、光照射部２が設置される設置スペースＳ１が、実施形態１，２のように導光板１０の下方ではなく、浴槽４のフランジ４２の下方に設けられる。
【００５６】
実施形態３の浴室構造では、導光板１０と反射材１２で構成される浴室壁１の下端部が、浴槽４の垂下片４４から延長された支持片４６によって、下方から支持される。浴槽本体４０の側壁４０４と垂下片４４との間に、光照射部２が配置される。
【００５７】
光照射部２は、支持構造８によって、設置スペースＳ１に支持される。光照射部２は、斜め上方にむけて光を照射するように、光源部２４１の向き等が設定されている。
【００５８】
光照射部２から照射された光は、垂下片４４に設けられた透過窓４４１を通じて、導光板１０の下端部の側面（浴室側を向く面）に、入射される。
【００５９】
実施形態３の浴室構造においても、光照射部２から光を照射することで、浴室内から視認される浴室壁１の下部が、フランジ４２との境界７２から光が拡がるように、幻想的に発光する。
【００６０】
導光板１０の下端面１０２は、フランジ４２の上面４２２よりも所定距離Ｄ１だけ下方に位置するので、フランジ４２に隠されて浴室内から視認困難である。
【００６１】
また、実施形態３の浴室構造では、フランジ４２の下方のスペースが、設置スペースＳ１として有効利用される。設置スペースＳ１に設置される光照射部２は、浴室側から視認されない。
【００６２】
また、実施形態３の浴室構造では、導光板１０の下端部の側面に対して、斜め下方から入射されるので、実施形態１，２とは異なる形態で導光板１０の下部が発光し、実施形態１，２とは異なる雰囲気が創り出される。
【００６３】
（作用効果）
以上、説明したように、実施形態１〜３の浴室構造は、浴室壁１を構成する導光板１０と、導光板１０に光を照射する光照射部２を備える。
【００６４】
導光板１０は、浴槽４が有するフランジ４２に隣接して設置される。
【００６５】
光照射部２は、フランジ４２の上面４２２よりも下方の位置から、導光板１０に向けて光を出射するよう構成されている。
【００６６】
したがって、実施形態１〜３の浴室構造によれば、光照射部２から光を出射することで、浴室壁１を構成する導光板１０の下部を、浴室内から視て、フランジ４２との境界７２から上方に拡がるように発光させることができる。これにより、浴室内に、従来ない幻想的な雰囲気が創り出される。
【００６７】
また、実施形態１，２の浴室構造において光照射部２は、導光板１０の下方に設置され、導光板１０の下端面１０２に向けて光を照射するように構成されている。
【００６８】
したがって、実施形態１，２の浴室構造によれば、導光板１０に対して下方から光を照射し、導光板１０の下部を明るく発光させることができる。
【００６９】
また、実施形態１の浴室構造は、導光板１０と光照射部２を下方から支持する延長部材１８をさらに備える。延長部材１８は、浴室の床パン３に支持される。
【００７０】
したがって、実施形態１の浴室構造によれば、導光板１０と光照射部２を含んで構成される浴室壁１全体を、延長部材１８を介して、床パン３に支持させることができる。
【００７１】
また、実施形態３の浴室構造において、光照射部２が設置される設置スペースＳ１は、フランジ４２の下方に設けられるスペースである。光照射部２は、設置スペースＳ１に設置された状態で、導光板１０の側面に向けて光を照射するように構成されている。
【００７２】
したがって、実施形態３の浴室構造によれば、フランジ４２の下方のスペースを有効利用し、このスペースから照射される光によって、導光板１０の下部を幻想的に発光させることができる。
【００７３】
なお、各実施形態の浴室構造について説明したが、浴室構造は前記した各実施形態に限定されず、各実施形態において適宜の設計変更を行うことや、各実施形態の構成を適宜組み合わせて適用することが可能である。
【符号の説明】
【００７４】
１      浴室壁
１０    導光板
１０２  下端面
１８    延長部材
２      光照射部
３      床パン
４      浴槽
４２    フランジ
４２２  上面
Ｓ１    設置スペース
【図１】
2017155428.tif 000003
【図２】
2017155428.tif 000004
【図３】
2017155428.tif 000005
【図４】
2017155428.tif 000006
【図５】
2017155428.tif 000007